(57)【要約】      （修正有）【課題】バケットの不使用時に当該バケットにカバーを手軽かつ容易に被着して固定できる高所作業車用のバケットカバーを提供する。【解決手段】高所作業車用バケット１の上面開口部４の全部を覆う平面形状であって、開口部近傍のバケット外周壁に沿って垂下する裾部１１を有するカバー本体１０と、バケットの開口部周縁に掛止部材１５を先端側に備えた伸縮性ベルトの後端側をカバー本体の周上に固着してなる複数本の掛止ベルト１４とを備えている。【選択図】図１
0003198388.tif 000002
【実用新案登録請求の範囲】
【請求項１】
高所作業車用バケットの上面開口部の全部を覆う平面形状であって、前記開口部近傍のバケット外周壁に沿って垂下する裾部を有するカバー本体と、前記バケットの開口部周縁に掛止されるフック状の掛止部材を先端側に備えた伸縮性ベルトの後端側を前記カバー本体の上面周上に固着してなる複数本の掛止ベルトとを備えていると共に、前記カバー本体の裾部には、裾部を締込むための締込みベルト体を備えていることを特徴とする高所作業車用のバケットカバー。
【請求項２】
掛止ベルトは、前記カバーの中心に関し放射状に設けた請求項１に記載のバケットカバー。
【請求項３】
前記バケット開口部の左右又は上下の両端部間に亘る細棒状の芯材を取付けた請求項１又は２に記載のバケットカバー。
【請求項４】
芯体はカバー本体に形成した鞘状の収容部に収めた請求項３に記載のバケットカバー。
【考案の詳細な説明】
【技術分野】
【０００１】
本考案は、電柱上の配電線等の電気設備の整備，保守、信号機や街灯などの保守など、例えば２ｍ以上の高所において行われるあらゆる高所作業を行うための作業車に搭載された伸縮自在又は折畳み自在のクレーンのアーム先端に設置された、作業員が乗り込むバケットに装着されるカバーに関する。
【背景技術】
【０００２】
高所作業車用のバケットは、作業員が乗り込んで高所での作業をしたり、その作業に用いる工具や部品等を収容しておく態様で使用されている。
【０００３】
作業時には、バケット内に工具や部品等が収容されていると作業の遂行上便宜であり、従って作業員がバケット内に居る間に前記工具や部品等が散逸することはない。
【０００４】
しかし、バケット内に誰も居ない状態で工具や部品等がバケット内に収容されているままで作業車のクレーンを折畳んで移動のため走行すると、バケット内の工具や部品が走行風に煽られてバケットから飛び出したり飛散してしまう現象が発生することがある。しかし乍ら、高所作業車の走行中にかかる現象，事態が生じると不測の事故につながりかねないことは論を俟たない。
【０００５】
従来、上記のような問題に対処するため、バケットの不使用時、特に、移動時のバケットには、蓋として機能する着脱式のカバーを装着することが義務付けられた。これを承けて現在一般的に用いられるバケットカバーは、図３に例示するようにバケットＢｕの上面開口部Ｏｍの全域を覆うことができる防水性シート地などにより形成したカバー体Ｃの周縁上に、前記バケットＢｕの底面Ｂｆを通って掛け回される結束用の帯やベルトＰｂを設けたものであった。図３においてＧは、バケットＢｕの底に掛け回される左右のベルトＰｂを結束するための結束具、ＢｅはカバーＣの裾部をバケットＢｕに圧着する締込みベルトである。
【０００６】
しかし、結束用ベルトＰｂがバケットＢｕの底面Ｂｆを通って掛け回される結束形態では、複数人が入ることのできるほどの大きさがあるバケットＢｕにバケットカバーの結束用ベルトＰｂを掛け回す作業は、手軽かつ容易になし得るものではなく、改善が求められていた。
【先行技術文献】
【特許文献】
【０００７】
【特許文献１】特許第３３９８２８０号
【特許文献２】特許第５１５０２３９号
【考案の概要】
【考案が解決しようとする課題】
【０００８】
本考案は、上記特許文献に開示されている高所作業車のバケットカバーの問題点に鑑み、バケットの不使用時に当該バケットにカバーを手軽かつ容易に被着して固定できるバケットカバーを提供することを課題とする。
【課題を解決するための手段】
【０００９】
上記課題を解決することを目的としてなされた本考案バケットカバーの構成は、高所作業車用バケットの上面開口部の全部を覆う平面形状であって、前記開口部近傍のバケット外周壁に沿って垂下する裾部を有するカバー本体と、前記バケットの開口部周縁に掛止されるフック状の掛止部材を先端側に備えた伸縮性ベルトの後端側を前記カバー本体の上面周上に固着してなる複数本の掛止ベルトとを備えていることを特徴とするものである。
【００１０】
本考案バケットカバーは、前記カバー本体の裾部に、該裾部を締め込むための締込みベルト体が設けられ、また、前記掛け止めベルトは、前記カバーの中心からほぼ放射状に設けられている。
本考案バケットカバーは、前記カバー本体に、前記バケット開口部の左右方向又は上下方向の両端部間に亘る細棒状の芯材を取付けた構成であることが望ましい。
【考案の効果】
【００１１】
本考案バケットカバーは、高所作業車用バケットの上面開口部の全部を覆う平面形状であって、前記開口部近傍のバケット外周壁に沿って垂下する裾部を有するカバー本体と、前記バケットの開口部周縁に掛止されるフック状の掛止部材を先端側に備えた伸縮性ベルトの後端側を前記カバー本体の上面周上に固着してなる複数本の掛止ベルトを備えて形成されているから、カバー本体の外周に沿ってほぼ放射状に設けられた伸縮性ベルト先端のフック状掛止部材を引張って前記バケットの開口部周縁に引掛けるだけで、カバー体をバケット開口部に強固に被着することができる。
【図面の簡単な説明】
【００１２】
【図１】本考案バケットカバーの一例の概略斜視図。
【図２】図１のカバーに用いた掛止ベルトの一例の斜視図。
【図３】公知のバケットカバーの一例の斜視図。
【考案を実施するための形態】
【００１３】
本考案バケットカバーは、一例として図１の斜視図に示した形態のものであるから、以下に説明する。
【００１４】
図１において、１は高所作業車（図示せず）に搭載された折畳式クレーンにおけるアームＡの先端部に取付けられた作業用員が乗り込む金属製又はＦＲＰ製などによる上面を全面開口した箱体によるバケット、２は該バケット１の底、３は前記バケット１の外周側壁、４は上面開口部である。なお、４ａは開口部４の上端縁を外向きに弯曲させた湾曲部で、この部４ａに後述する掛止ベルト１４のフック１５が掛止される。
【００１５】
図１に例示した本考案バケットカバーＢＣの一例は、前記バケット１の上面開口部４を全部覆うことができるカバー本体１０と、該本体１０の外周縁部にバケット１の側壁外面に沿って垂れる短か目の裾部（又はスカート部）１１を有して防水性シート地、一例としてターポリンで形成されている。防水性シート地はターポリン以外の防水性の生地を用いることができる。
【００１６】
本考案バケットカバーＢＣにおいて、カバー本体が前記カバー本体１０と裾部１１を備え、裾部に締込みベルト１２を有している点は、図３の従来のバケットカバーと同様であるが、本考案では以下に述べる構成を具備する点で、従来のバケットカバーにない作用効果を奏するように形成されている。
【００１７】
すなわち、１３はカバー本体１０の表面（上面又は下面）において、バケット１の開口部４を跨ぐ態様で当該カバー本体１０に設けた芯体である。図に例示した芯体１３は、開口部４をクレーンのアームＡの正面に関して左右方向で略平行な向きで３本設けられているが、芯体１３の設置方向や設置本数は上記例に限られず任意である。また芯体１３は、カバー本体１０を二重のシート材で形成して縫製により芯体収容部を鞘状に形成したり、１枚のシート材に別布で鞘部を縫製により形成した収容部に入れておくことができる。
【００１８】
上記のように設置される鞘部に収めた芯体１３は、本考案カバーをバケット１に被せて使用中に、雨雪がカバー本体１０に溜めることがあっても、当該本体１０が凹陥しないようにする役割を果たす。
【００１９】
本考案バケットカバーでは、上記芯体１３に加え、カバー本体部１０の外周近傍に、放射状に（又は外向きに）、図２に例示した複数個の掛止ベルト１４を設け、各ベルト１４の先端に設けたフック１５をバケット１の開口部４に対してパンと張った状態で固定できるようにした。
【００２０】
図２の掛止ベルト１４は、カバー本体１０に縫い付け等により固着される短ベルト状の基部１４ａと該基部１４ａに連結具１４ｃを介して接続された長さ調整機構１４ｄを有し、かつ、ゴム系ベルト材で伸縮性を付与したベルト本体１４ｂと、該本体１４ｂの先端部に結合されたワイヤ材を曲げ加工して形成した掛止フック１５とから成る。
【００２１】
図１の掛止ベルト１４は、表現の便宜上、略示状態で示しているが、その実態の一例は図２に示す形態である。もちろん本考案における掛止ベルト１４の形態，構造は図２のものに限られるものではない。要すれば、カバー本体１０に固着される基部１４ａと伸縮性のベルト本体１４ｂと掛止フック１５を具備したものであればよい。さらに掛止ベルト１４の設置本数も、図１の６本は一例であって、バケット１の大きさや開口部４の平面形状等によって、設けられる掛止ベルト１４を６本以上、又は６本以下とすることがある。
【産業上の利用可能性】
【００２２】
本考案は以上の通りであって、高所作業車用バケットにその不使用時に装備することが義務付けられていたバケットカバーを、高所作業車用バケットの上面開口部の全部を覆う平面形状であって、前記開口部近傍のバケット外周壁に沿って垂下する裾部を有するカバー本体と、前記バケットの開口部周縁に掛止部材を先端側に備えた伸縮性ベルトの後端側を、前記カバー本体の周上に固着した複数本の掛止ベルトを備えていると共に、前記カバー本体の裾部には締め込みベルト体を設け、さらに、前記カバー本体に、前記バケット開口部の左右又は上下の両端部間に亘る細棒状の芯材を取付けて形成したから、バケット底面にベルトを通す作業が不要となって作業位置を変えずにカバーを短時間で簡単にバケットの開口部に装着することができる。
【００２３】
また、カバー本体上に放射状に設けた複数個の掛止フックは、ゴム系ベルトの引張力で、常時、引張り力が作用していること、及び、カバー本体の裾部が締込みベルトでバケットに固定されていることにより、走行時にカバーがめくれたり、落下することがない。
【００２４】
さらにカバー本体の上面は芯材で補強されているから、雪や雨が溜まりにくく、仮に溜まることがあっても雨雪の重みでシート本体がバケット内に落ち込むことがない。
【００２５】
本考案は以上の通りであるから、高所作業用車用のバケットカバーとしてきわめて有用である。
【符号の説明】
【００２６】
１      バケット
２      バケットの底
３      バケットの側壁
４      バケットの上面開口部
４ａ    開口部の縁
ＢＣ    バケットカバー
１０    カバー本体部
１１    カバーの裾部
１２    締込みベルト体
１３    芯材
１４    掛止め
１４ａ  ベルトの基部
１４ｂ  ベルト本体部
１４ｃ  連結具
１４ｄ  長さ調整機構
１５    掛止フック
【図１】
0003198388.tif 000003
【図２】
0003198388.tif 000004
【図３】
0003198388.tif 000005